(57)【要約】【課題】施療子を適切に動作させることができるカバー部材を備えたマッサージ機を提供する。【解決手段】施療子６２と、フレーム３ａ及び施療子６２を覆うカバー部材３０により構成された被施療部を支持する身体支持部３と、を有し、カバー部材３０を介して施療子６２により被施療部をマッサージするマッサージ機１である。カバー部材３０は、施療子６２の可動範囲に対応して設けられた第１カバー部３１を有している。第１カバー部３１は、たるみ部３７を有して張設され、被施療部に対向する方向に切断したときの断面視において凹部４０を形成し、たるみ部３７において第１カバー部３１同士が結合されている。【選択図】      図４
2017023413.tif 000002
【特許請求の範囲】
【請求項１】
施療子と、
フレーム及び前記施療子を覆うカバー部材により構成された被施療部を支持する身体支持部と、を有し、
前記カバー部材を介して前記施療子により被施療部をマッサージするマッサージ機において、
前記カバー部材は、前記施療子の可動範囲に対応して設けられた第１カバー部を有し、
前記第１カバー部は、
たるみ部を有して張設され、
被施療部に対向する方向に切断したときの断面視において凹部を形成し、
前記たるみ部において前記第１カバー部同士が結合されている
ことを特徴とするマッサージ機。
【請求項２】
施療子と、
フレーム及び前記施療子を前側から覆うカバー部材により構成された胴体を支持する身体支持部としての背凭れ部と、を有し、
前記カバー部材を介して前記施療子により胴体をマッサージするマッサージ機において、
前記カバー部材は、前記施療子の可動範囲に対応して設けられた第１カバー部を有し、
前記第１カバー部は、
たるみ部を有して張設され、
前後方向に切断したときの断面視において凹部を形成し、
前記たるみ部において前記第１カバー部同士が左右で結合されている
ことを特徴とするマッサージ機。
【請求項３】
前記第１カバー部は、
前記たるみ部を有して張設された第１部分と、
前記第１部分とは独立して設けられ、前記凹部を身長方向からふさぐ所定幅を有する第２部分と、
を有し、
前記たるみ部において前記第２部分を介して前記第１部分同士が結合されている
ことを特徴とする請求項１又は２に記載のマッサージ機。
【請求項４】
前記第２部分は、前記第１部分の身長方向における端部に設けられていることを特徴とする請求項３に記載のマッサージ機。
【請求項５】
前記施療子は、左右で対をなしており、
前記第１カバー部は、所定距離を空けて対をなしており、
前記カバー部材は、前記対の第１カバー部の間に張設された第２カバー部を有し、
前記第２カバー部は、前記第１カバー部よりも前記フレームに強く張られている、又は前記第１カバー部よりも伸縮性が低いことを特徴とする請求項１〜４のいずれかに記載のマッサージ機。
【請求項６】
前記第１カバー部は、前記施療子の動作に追従して前記第２カバー部との結合部を支点として左右方向へ揺動可能であることを特徴とする請求項５に記載のマッサージ機。
【請求項７】
前記施療子は、前後方向に動作可能であり、
前記カバー部材は、前記背凭れ部の上面に設けられるとともに前記第１カバー部の上部と結合された第３カバー部を有し、
前記第３カバー部は、前後方向に伸縮性を有していることを特徴とする請求項２に記載のマッサージ機。
【請求項８】
対をなす施療子と、
フレーム及び前記施療子を覆うカバー部材により構成された被施療部を支持する身体支持部と、を有し、
前記カバー部材を介して前記施療子により被施療部をマッサージするマッサージ機において、
前記カバー部材は、
前記施療子の可動範囲に対応して所定距離を空けて張設された対をなす第１カバー部と、
前記対の第１カバー部の間に張設され、該第１カバー部に結合された第２カバー部と、
を有し、
前記第２カバー部は、前記第１カバー部よりも前記フレームに強く張られている、又は前記第１カバー部よりも伸縮性が低いことを特徴とするマッサージ機。
【請求項９】
前記第１カバー部は、
たるみ部を有して張設され、
被施療部に対向する方向に切断したときの断面視において凹部を形成している
ことを特徴とする請求項８に記載のマッサージ機。
【発明の詳細な説明】
【技術分野】
【０００１】
本発明はマッサージ機に関する。
【背景技術】
【０００２】
従来、カバー部材を介して施療子により被施療部をマッサージする椅子型のマッサージ機が知られている。このマッサージ機は、背凭れ部の肩付近に対応する位置に、蛇腹状のタック部が左右に設けられた第２カバーが設けられている。施療子が突出していないときは、タック部は蛇腹を縮めた状態となり、施療子が突出したときには、タック部は施療子に押し出されて蛇腹状に伸びる。このようにして、カバー部材は、施療子の動作に追従して変形することができる（例えば、特許文献１の図８及び図９参照）。
【先行技術文献】
【特許文献】
【０００３】
【特許文献１】特開２００９−１９５２６２号公報
【発明の概要】
【発明が解決しようとする課題】
【０００４】
しかし、上記特許文献１に記載のマッサージ機は、タック部が施療子の動作に追従して適切に変形しない恐れがある。この場合、カバー部材が突っ張った状態となり、施療子の動作が阻害されてしまうという問題がある。ひいては、施療子とカバー部材の間で異音が発生するという問題も生じる。そこで本発明は、上述した問題を解消するためになされたものであり、施療子を適切に動作させることができるカバー部材を備えたマッサージ機を提供することを目的とする。
【課題を解決するための手段】
【０００５】
本発明は、施療子と、フレーム及び前記施療子を覆うカバー部材により構成された被施療部を支持する身体支持部と、を有し、前記カバー部材を介して前記施療子により被施療部をマッサージするマッサージ機において、前記カバー部材は、前記施療子の可動範囲に対応して設けられた第１カバー部を有し、前記第１カバー部は、たるみ部を有して張設され、被施療部に対向する方向に切断したときの断面視において凹部を形成し、前記たるみ部において前記第１カバー部同士が結合されていることを特徴とする。
このような構成とすることにより、第１カバー部により形成される凹部内で施療子が動作するため、カバー部材が施療子の動作を阻害しない。
【０００６】
また、本発明は、施療子と、フレーム及び前記施療子を前側から覆うカバー部材により構成された胴体を支持する身体支持部としての背凭れ部と、を有し、前記カバー部材を介して前記施療子により胴体をマッサージするマッサージ機において、前記カバー部材は、前記施療子の可動範囲に対応して設けられた第１カバー部を有し、前記第１カバー部は、たるみ部を有して張設され、前後方向に切断したときの断面視において凹部を形成し、前記たるみ部において前記第１カバー部同士が左右で結合されていることを特徴とする。
このような構成とすることにより、第１カバー部により形成される凹部内で施療子が動作するため、カバー部材が施療子の動作を阻害しない。
【０００７】
また、前記第１カバー部は、前記たるみ部を有して張設された第１部分と、前記第１部分とは独立して設けられ、前記凹部を身長方向からふさぐ所定幅を有する第２部分と、を有し、前記たるみ部において前記第２部分を介して前記第１部分同士が結合されていることが好ましい。
このような構成とすることにより、第１部分同士の結合部においても凹部を確保することができ、施療子が結合部近傍に位置していてもカバー部材により動作が阻害されない。
【０００８】
また、前記第２部分は、前記第１部分の身長方向における端部に設けられていることが好ましい。
このような構成とすることにより、施療子を第１部分の身長方向における端部近傍まで移動させても、カバー部材が施療子の動作を阻害しない。また、第１部分と第２部分の結合作業が容易となる。
【０００９】
また、前記施療子は、左右で対をなしており、前記第１カバー部は、所定距離を空けて対をなしており、前記カバー部材は、前記対の第１カバー部の間に張設された第２カバー部を有し、前記第２カバー部は、前記第１カバー部よりも前記フレームに強く張られている、又は前記第１カバー部よりも伸縮性が低いことが好ましい。
このような構成とすることにより、第１カバー部により施療子の動作を阻害せず、第２カバー部により被施療部を安定して支持することができる。
【００１０】
また、前記第１カバー部は、前記施療子の動作に追従して前記第２カバー部との結合部を支点として左右方向へ揺動可能であることが好ましい。
このような構成とすることにより、カバー部材が施療子の動作を阻害しない。
【００１１】
また、前記施療子は、前後方向に動作可能であり、前記カバー部材は、前記背凭れ部の上面に設けられるとともに前記第１カバー部の上部と結合された第３カバー部を有し、前記第３カバー部は、前後方向に伸縮性を有していることが好ましい。
このような構成とすることにより、カバー部材が施療子の前後方向の動作を阻害しない。
【００１２】
また、本発明は、対をなす施療子と、フレーム及び前記施療子を覆うカバー部材により構成された被施療部を支持する身体支持部と、を有し、前記カバー部材を介して前記施療子により被施療部をマッサージするマッサージ機において、前記カバー部材は、前記施療子の可動範囲に対応して所定距離を空けて張設された対をなす第１カバー部と、前記対の第１カバー部の間に張設され、該第１カバー部に結合された第２カバー部と、を有し、前記第２カバー部は、前記第１カバー部よりも前記フレームに強く張られている、又は前記第１カバー部よりも伸縮性が低いことを特徴とする。
このような構成とすることにより、第１カバー部により施療子の動作を阻害せず、第２カバー部により被施療部を安定して支持することができる。
【００１３】
また、前記第１カバー部は、たるみ部を有して張設され、被施療部に対向する方向に切断したときの断面視において凹部を形成していることが好ましい。
このような構成とすることにより、対の第１カバー部の間に張りの強い又は伸縮性の低い第２カバー部が結合されているため、施療子の可動範囲において対の施療子それぞれに対応する凹部を形成することができる。そして、凹部内で施療子が動作するため、カバー部材が施療子の動作を阻害しない。
【発明の効果】
【００１４】
本発明によれば、施療子を適切に動作させることができる。
【図面の簡単な説明】
【００１５】
【図１】本発明の一実施形態に係るマッサージ機の斜視図である。
【図２】マッサージ機のブロック図である。
【図３】マッサージ部の正面図である。
【図４】カバー部材の斜視図である。
【図５】マッサージ部及びカバー部材を示す図４のＡ−Ａ線断面図であり、（ａ）は対の施療子が近接した状態、（ｂ）は対の施療子が離反した状態をそれぞれ示している。
【発明を実施するための形態】
【００１６】
［マッサージ機の全体構成］
以下、本発明のマッサージ機１の全体構成について説明する。図１は本発明の一実施形態に係るマッサージ機１の斜視図である。図２はマッサージ機１のブロック図である。図３はマッサージ部６の正面図である。図４はカバー部材３０の斜視図である。図５はマッサージ部６及びカバー部材３０を示す図４のＡ−Ａ線断面図であり、（ａ）は対の施療子６２が近接した状態、（ｂ）は対の施療子６２が離反した状態をそれぞれ示している。なお、図１では、視認性を考慮してカバー部材３０の図示を省略している。
なお、以下の説明で用いる方向の概念は、図１に示す起立姿勢のマッサージ機１に着座した使用者から見たときの方向の概念と一致するものとし、その他の場合は適宜説明するものとする。
【００１７】
図１及び図２に示すとおり、本発明のマッサージ機１は、主として、使用者が着座する座部２と、座部２の後部にリクライニング可能に設けられた使用者が凭れる背凭れ部３と、座部２の前部に上下揺動可能に設けられた使用者の脚部及び／又は足部を支持するフットレスト４と、を有している。座部２、背凭れ部３、及びフットレスト４は、使用者の身体を背面側から支持する身体支持部として機能する。身体支持部２〜４の各所には、使用者の身体をマッサージするマッサージ部６〜８が設けられている。なお、座部２の左右両側には、使用者の腕部を載置する肘掛け部が設けられていてもよい。
【００１８】
図１及び図２に示すとおり、背凭れ部３は、座部２の下方に設けられたアクチュエータ１１により、座部２に対して前後にリクライニング可能に構成されており、図１に示す起立姿勢から背凭れ面が床面と略水平となるリクライニング姿勢までの間の任意の位置で停止できるようになっている。フットレスト４は、座部２の下方に設けられたアクチュエータ１２により、座部２に対して上下に揺動可能に構成されており、図１に示す垂下姿勢から膝を伸ばした状態で脚部又は足部が支持される上昇姿勢までの間の任意の位置で停止できるようになっている。
【００１９】
図２に示すとおり、座部２の下方には、後述するエアセルよりなるマッサージ部７，８に対してエアを給排気するポンプ及びバルブを有する給排気装置１３と、マッサージ機１の各種動作を制御する制御手段１４と、が設けられている。制御手段１４は、プログラマブルなマイコン等を有しており、各アクチュエータ１１，１２、マッサージ部６、及び給排気装置１３を駆動制御する。制御手段１４には、使用者が操作するコントローラ１５が電気的に接続されている。マッサージ機１は、予め定められたプログラム（マッサージコース）に従って動作する他、使用者によるコントローラ１５からの指示に従って動作する。
【００２０】
［座部及びフットレストの構成］
図１に示すとおり、座部２は、硬質の座フレーム２ａ（フレーム）と、座フレーム２ａの上側に配置された後述するカバー部材３０と、により構成されている。座フレーム２ａは、金属部材及び／又は樹脂部材により構成されている。座部２には、使用者の臀部及び大腿部を下方（背面側）からマッサージする左右で対をなすマッサージ部７が設けられている。このマッサージ部７は、座フレーム２ａの上部に設けられていてもよいし、カバー部材３０（第６カバー部３６）の内部に設けられていてもよい。また、フットレスト４には、使用者の脚部を後方（背面側）からマッサージする左右で対をなすマッサージ部８が設けられている。マッサージ部７，８は、エアの給排気により膨張収縮するエアセルにより構成されている。
【００２１】
［背凭れ部の構成］
図１に示すとおり、背凭れ部３は、硬質の背フレーム３ａ（フレーム）と、背フレーム３ａを被覆するカバー部材３０と、により構成されている。背フレーム３ａは、金属部材及び／又は樹脂部材により構成されている。また、背フレーム３ａは、左右中央に形成された前後方向に開口する開口部３ｂを有し、正面視で略門型をなしている。また、カバー部材３０は、開口部３ｂを前方から覆っている。後述するマッサージ部６の施療子６２が開口部３ｂより前方へ突出しており、カバー部材３０を介して使用者の胴体を後方からマッサージできるようになっている。
【００２２】
［マッサージ部の構成］
図１〜３に示すとおり、背凭れ部３には、使用者の上半身を後方（背面側）からマッサージするマッサージ部６が設けられている。このマッサージ部６は、身長方向に沿って複数（本実施形態では２つ）設けられていることが好ましい。このマッサージ部６は、左右で対をなすアーム６１と、アーム６１の上下両端部に設けられた施療子６２と、により構成されており、マッサージモータＭ１，Ｍ２の駆動により左右の施療子６２が近接離反する揉みマッサージ、及び左右の施療子６２が交互に使用者側へ進退する叩きマッサージを行わせることができる。また、マッサージ部６は、昇降モータＭ３の駆動により身長方向に沿って上方又は下方へ移動して、身体に対する位置を変更したり、ローリングマッサージを行わせたりすることができる。背フレーム３ａには、身長方向に延設された左右で対をなすガイドレール１６が設けられており、マッサージ部６はガイドレール１６に沿って移動する。マッサージ部６が身長方向に移動可能であるため、使用者の首部から腰部の間を施療子６２でマッサージすることができる。
【００２３】
マッサージ部６は、ベースフレーム６０ａと、ベースフレーム６０ａに支持された可動フレーム６０ｂと、を有している。ベースフレーム６０ａは、その左右両側においてガイドレール１６に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル等よりなる進退駆動部６５が設けられている。進退駆動部６５の駆動により、可動フレーム６０ｂは揺動軸６４を中心として前後方向に進退することができる。なお、可動フレーム６０ｂを進退させる構造でなくてもよく、アーム６１に進退駆動部６５を設けてアーム６１のみを進退させる構造であってもよい。
【００２４】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２５】
アーム６１は、前後方向に揺動自在であり、上側の施療子６２が前方へ突出するようにバネ等よりなる付勢手段（図示せず）により付勢されている。また、マッサージ部６は、使用者の身体情報を検出するセンサ６９（図２参照）を有している。このセンサ６９は、アーム６１が所定の揺動位置となったことを検出することで身体情報を得ることができる。具体的に説明すると、マッサージ部６を身長方向に沿って上昇させる過程で、上側の施療子６２が肩部の上方に到達すると、施療子６２に作用する負荷が解除されて、アーム６１が前方へ揺動して所定の揺動位置となる。アーム６１が所定の揺動位置となったことをセンサ６９が検出し、その際のマッサージ部６の上下位置に基づいて肩部の位置を検出する。肩部の位置を基準として、その他の部位（首、背中、腰等）の位置を計算により求める。検出された身体情報は制御手段１４に記憶される。なお、身体情報は使用者自身が入力してもよい。この場合、例えば、コントローラ１５を操作して身体情報を入力し、制御手段１４に記憶させることができる。
【００２６】
［カバー部材の構成］
図４及び図５に示すとおり、身体支持部を構成する背凭れ部３及び座部２は、各フレーム３ａ，２ａを覆うカバー部材３０を有している。本実施形態においては、カバー部材３０は、背フレーム３ａの前側であって施療子６２の可動範囲に対応して設けられた第１カバー部３１と、背フレーム３ａの前側であって第１カバー部３１に並設された第２カバー部３２と、背フレーム３ａの上側に設けられた第３カバー部３３と、背フレーム３ａの左右両側に設けられた第４カバー部３４と、背フレーム３ａの後側に設けられた第５カバー部３５と、座フレーム２ａの上側に設けられた第６カバー部３６と、を有している。そして、第１カバー部３１及び第２カバー部３２の前側には、ウレタンフォーム等よりなるクッション材を内装した背パッド（図示せず）が設けられている。なお、カバー部材３０は、前述した第１〜第６カバー部３１〜３６の全てを有している必要はなく、少なくとも第１カバー部３１、又は第１カバー部３１及び第２カバー部３２を有していれば足りる。
【００２７】
第１カバー部３１は伸縮性を有する生地等よりなり、施療子６２を前方から覆いつつも、被施療部に対して第１カバー部３１を介して施療子６２によるマッサージ作用を与えることができる。後述するように、第１カバー部３１は、たるみ部３７を有していれば、必ずしも伸縮性を有する材質でなくてもよい。第１カバー部３１は、左右方向に所定距離を空けて対をなして設けられている。第１カバー部３１は、施療子６２の上下方向の可動範囲に対応して、上下方向に所定幅を有している。具体的には、背凭れ部３の上端部から下端部まで延設されている。また、第１カバー部３１は、施療子６２の左右方向の可動範囲（すなわち、揉みマッサージ中の施療子６２の可動範囲）に対応して、左右方向に所定幅を有している。
【００２８】
第１カバー部３１は、たるみ部３７を有して背フレーム３ａに張設されている。具体的には、第１カバー部３１は、左右方向に張り度合が弱いたるみ部３７を有する第１部分３８を有しており、被施療部に対向する方向（前後方向）に切断したときの断面視において凹部４０を形成している（図５参照）。第１部分３８は、第１カバー部３１を構成したときの左右幅よりも大きい１枚の生地をたるませた状態で、その左右両側が後述する第２カバー部３２にそれぞれ縫製して結合されている。図５においては、第１部分３８は、後方に向かって開口する凹部４０を形成しているが、第１部分３８に対して後方への荷重が作用することにより前方へ向かって開口する凹部４０を形成することもあり得る。
【００２９】
また、第１カバー部３１は、第１部分３８とは独立して設けられた第２部分３９を有している。本実施形態では、第１部分３８と第２部分３９は、伸縮性を有する同一の材質の生地等よりなるが、異なる材質の生地であってもよい。第１部分３８によって形成された凹部４０が、第２部分３９により上方及び／又は下方からふさがれている。第２部分３９は左右方向に所定幅を有しており、第２部分３９の外周を第１部分３８と縫製することで、第１部分３８と第２部分３９が結合されている。すなわち、たるみ部３７において第２部分３９を介して第１部分３８同士が左右方向で結合されている。なお、たるみ部３７において第２部分３９を介さずに第１部分３８同士を縫製して左右方向で結合してもよい。本実施形態では、第２部分３９は、第１部分３８の上下両端部に設けられているが、上端部又は下端部のいずれか一方だけに設けられていてもよく、上下方向の中途部に設けられていてもよい。
【００３０】
左右方向に張り度合が弱いたるみ部３７において、第１部分３８同士が左右方向で結合されているため、第１カバー部３１を平面的ではなく、前後方向の厚みを有する立体的な形状とすることができる。従って、第１カバー部３１により前後方向に開口する凹部４０を形成することができる。そして、この凹部４０内で施療子６２が動作するため、カバー部材３０が施療子６２の動作を阻害しない。また、第１カバー部３１が突っ張った状態とならないため、施療子６２とカバー部材３０の間で発生する摩擦による異音も低減できる。
【００３１】
また、左右方向に所定幅を有する第２部分３９を介して第１部分３８同士を結合しているため、第１部分３８同士の結合部においても十分な凹部４０を確保することができる。すなわち、本実施形態では、第１カバー部３１の上端部又は下端部においても十分な凹部４０を確保することができる。従って、施療子６２を可動範囲の上限又は下限近傍まで移動させて該結合部近傍に位置させても、施療子６２の動作がカバー部材３０に阻害されない。
【００３２】
左右で対をなす第１カバー部３１の間と、それぞれの第１カバー部３１の左右外側には、第２カバー部３２が並設されている。第２カバー部３２は、施療子６２の左右方向における可動範囲の外に位置しており、上下方向に所定幅を有している。具体的には、背凭れ部３の上端部から下端部まで延設されている。並設された第１カバー部３１と第２カバー部３２は、それぞれを縫製することにより左右方向に結合されている。第２カバー部３２は、第１カバー部３１よりも伸縮性が低く、例えばレザー等よりなる。また、第２カバー部３２は、たるみ部を有さず、第１カバー部３１よりも背フレーム３ａに強く張設されている。
【００３３】
対の第１カバー部３１は、左右両側が第２カバー部３２に結合されているため、対の施療子６２の近接離反に追従して、第２カバー部３２との結合部４１を支点として左右方向へ揺動することができる。従って、カバー部材３０が施療子６２の動作を阻害しない。また、第２カバー部３２により被施療部を安定して身体支持部である背凭れ部３に支持することができる。また、対の第１カバー部３１の間に第２カバー部３２が位置し、第１カバー部３１と第２カバー部３２が結合されているため、第１カバー部３１は施療子６２の可動範囲において凹部４０を形成しやすくなる。
【００３４】
背フレーム３ａの上側には、第３カバー部３３が設けられており、背フレーム３ａを上方から覆っている。背フレーム３ａの左右両側には、第４カバー部３４が設けられており、背フレーム３ａを側方から覆っている。背フレーム３ａの後側には、第５カバー部３５が設けられており、背フレーム３ａを後方から覆っている。座フレーム２ａの上側には、第６カバー部３６が設けられており、座フレーム２ａを上方から覆っている。
【００３５】
第３カバー部３３は、その前部が第１カバー部３１及び第２カバー部３２の上部に結合されており、その後部が第５カバー部３５の上部に結合されている。第４カバー部３４は、その前部が第２カバー部３２の側部に結合されており、その上部が第３カバー部３３の側部に結合されている。すなわち、カバー部材３０は、第１〜第５カバー部３１〜３５により下方が開口した袋状に構成されており、背フレーム３ａを前後、左右及び上から覆っている。第６カバー部３６は、その後部が第１カバー部３１及び第２カバー部３２の下部に結合されている。
【００３６】
本実施形態では、第３カバー部３３は、伸縮性を有する第１カバー部３１と同一の材質の生地等よりなり、少なくとも前後方向に伸縮性を有している。すなわち、第３カバー部３３は、第２カバー部３２よりも伸縮性が高い。進退駆動部６５を駆動させて施療子６２を前方へ移動させた場合、第３カバー部３３は施療子６２の移動に追従して前方へ伸長して、第３カバー部３３に結合した第１カバー部３１は前方へ移動する。このように、進退駆動部６５の駆動による施療子６２の前後方向の動作をカバー部材３０が阻害しない。また、第４カバー部３４を第３カバー部３３と同様に伸縮性を有する材質としてもよいし、伸縮性を有する材質の別のカバー部（図示せず）を第３カバー部３３と第４カバー部３４の間に介在させてもよい。そうすれば、施療子６２の前後方向の動作をカバー部材３０がより阻害しない。
【００３７】
また、本発明のマッサージ機は、図示する形態に限らず、この発明の範囲内において他の形態のものであってもよい。
例えば、エアセルよりなるマッサージ部に代えて、施療子を有するマッサージ部を座部又はフットレストに設け、被施療部と施療子との間に上述したカバー部材を介在させてもよい。カバー部材は、背凭れ部に設ける場合と同様に、施療子の可動範囲に対応して第１カバー部を有し、施療子の可動範囲の外に対応して第２カバー部を有するものとすればよい。
【産業上の利用可能性】
【００３８】
本発明は、施療子を適切に動作させることができるマッサージ機に適用することができる。
【符号の説明】
【００３９】
１  マッサージ機
２  座部（身体支持部）
２ａ  座フレーム（フレーム）
３  背凭れ部（身体支持部）
３ａ  背フレーム（フレーム）
４  フットレスト（身体支持部）
３０  カバー部材
３１  第１カバー部
３２  第２カバー部
３３  第３カバー部
３７  たるみ部
３８  第１部分
３９  第２部分
４０  凹部
４１  結合部
６２  施療子
【図１】
2017023413.tif 000003
【図２】
2017023413.tif 000004
【図３】
2017023413.tif 000005
【図４】
2017023413.tif 000006
【図５】
2017023413.tif 000007